(57)【要約】【課題】各電力消費者に対し、電化製品ごとの電力消費量の節約の基準を示すこと。【解決手段】サーバ装置３０と、サーバ装置３０に所定の通信網を介して接続された複数の電力消費サイト１０と、を含む電力消費量提示システム１であって、各電力消費サイト１０には、それぞれ１又は複数の電化製品が設置され、さらに各電化製品にそれぞれ対応して電力消費量測定装置が設置され、各電力消費量測定装置は、対応する電化製品の電力消費量を測定するとともに、測定した電力消費量をサーバ装置３０に対して送信し、サーバ装置３０は、各電力消費量測定装置より送信された電力消費量に基づき、電化製品ごとに、各電力消費サイト１０の電力消費量を取得し、取得した電化製品ごとの各電力消費サイト１０の電力消費量を示す電力消費量情報を、電力消費量提示システム１のユーザに対して提示する。【選択図】図１
2007139523.tif 000002
【特許請求の範囲】
【請求項１】
サーバ装置と、当該サーバ装置に所定の通信網を介して接続された複数の電力消費サイトと、を含む電力消費量提示システムであって、
前記各電力消費サイトには、それぞれ１又は複数の電化製品が設置され、
さらに前記各電化製品にそれぞれ対応して電力消費量測定装置が設置され、
前記各電力消費量測定装置は、
対応する電化製品の電力消費量を測定する電力消費量測定手段と、
前記電力消費量測定手段により測定された電力消費量を、前記サーバ装置に対して送信する送信手段と、
を含み、
前記サーバ装置は、
前記各電力消費量測定装置より送信された電力消費量に基づき、電化製品ごとに、各電力消費サイトの電力消費量を取得する取得手段と、
前記取得手段により取得された電化製品ごとの各電力消費サイトの電力消費量を示す電力消費量情報を、当該電力消費量提示システムのユーザに対して提示する提示手段と、
を含む、
ことを特徴とする電力消費量提示システム。
【請求項２】
請求項１に記載の電力消費量提示システムにおいて、
前記各電力消費量測定装置は、
対応する電化製品を示す製品情報を取得する取得手段、
をさらに含み、
前記送信手段は、前記取得された製品情報を、前記電力消費量測定手段により測定された電力消費量とともに前記サーバ装置に対して送信し、
前記取得手段は、前記各電力消費量測定装置より送信された製品情報に基づき、各電力消費サイトの電化製品ごとの電力消費量を取得する、
ことを特徴とする電力消費量提示システム。
【請求項３】
請求項１又は２に記載の電力消費量提示システムにおいて、
前記電力消費量測定手段は、当該電力消費量測定装置に対応する電化製品と、該電化製品が接続されるコンセントと、の間に設けられ、
前記送信手段は、前記電力消費量測定手段により測定された電力消費量を、当該電力消費量測定装置に対応する電化製品が接続されるコンセントを通じた電力線通信により、前記サーバ装置に対して送信する、
ことを特徴とする電力消費量提示システム。
【請求項４】
請求項１乃至３のいずれか１項に記載の電力消費量提示システムにおいて、
前記電力消費量測定手段及び前記送信手段は、一体の電力消費量測定装置を構成する、
ことを特徴とする電力消費量提示システム。
【請求項５】
請求項１乃至４のいずれか１項に記載の電力消費量提示システムにおいて、
前記サーバ装置はＩＰネットワークに接続され、
前記提示手段は、前記ＩＰネットワーク上のサイトに前記電力消費量情報を表示することにより、該電力消費量情報を、当該電力消費量提示システムのユーザに対して提示する、
ことを特徴とする電力消費量提示システム。
【請求項６】
請求項５に記載の電力消費量提示システムにおいて、
前記サーバ装置は、
前記サイトにおいて、各電化製品に関する情報の入力を受け付ける情報入力受付手段、
をさらに含み、
前記提示手段は、前記入力を受け付けた情報を、前記電力消費量情報とともに、当該電力消費量提示システムのユーザに対して提示する、
ことを特徴とする電力消費量提示システム。
【請求項７】
サーバ装置と、当該サーバ装置に所定の通信網を介して接続された複数の電力消費サイトと、を含む電力消費量提示システムにおいて使用されるサーバ装置であって、
前記各電力消費サイトには、それぞれ１又は複数の電化製品が設置され、
さらに前記各電化製品にそれぞれ対応して電力消費量測定装置が設置され、
前記各電力消費量測定装置は、対応する電化製品の電力消費量を測定し、
当該サーバ装置は、
前記各電力消費量測定装置より測定された電力消費量に基づき、電化製品ごとに、各電力消費サイトの電力消費量を取得する取得手段と、
前記取得手段により取得された電化製品ごとの各電力消費サイトの電力消費量を示す電力消費量情報を、前記電力消費量提示システムのユーザに対して提示する提示手段と、
を含む、
ことを特徴とするサーバ装置。
【請求項８】
複数の電力消費サイトにそれぞれ設置される１又は複数の電化製品を含む電力消費量提示システムにおいて、前記各電化製品の電力消費量測定を行うための電力消費量提示方法であって、
前記各電化製品にそれぞれ対応して電力消費量測定装置が設置され、
前記各電力消費量測定装置により、対応する電化製品の電力消費量を測定する電力消費量測定ステップと、
前記各電力消費量測定装置より測定された電力消費量に基づき、電化製品ごとに、各電力消費サイトの電力消費量を取得する取得ステップと、
前記取得ステップにおいて取得された電化製品ごとの各電力消費サイトの電力消費量を示す電力消費量情報を、前記電力消費量提示システムのユーザに対して提示する提示ステップと、
を含むことを特徴とする電力消費量提示方法。
【発明の詳細な説明】
【技術分野】
【０００１】
本発明は電力消費量提示システム、サーバ装置、及び電力消費量提示方法に関する。
【背景技術】
【０００２】
近年、地球環境の保護に資するべく、消費電力を減らすことに関する技術が種々提案されている。このような技術の一つに、電化製品毎の電気料金を算出し、月々の電気料金明細情報に電化製品毎の電気料金を記載することによって、家庭やオフィスなどの電力消費サイトにおいて電力を使用する電力消費者に電気料金の高い電化製品（すなわち、電力消費量の大きい電化製品）を認識させる技術がある（例えば、特許文献１）。
【特許文献１】特開２００３−２８８３９０号公報（要約書）
【発明の開示】
【発明が解決しようとする課題】
【０００３】
しかしながら、電化製品の種類が異なればその電力消費量も異なるのが当然であり、上記従来の技術では、電気料金情報を受け取った各電力消費者は、各電化製品の電力消費量が果たして多いのか少ないのかが分からないため、結局のところ電力の節約には結びつかない、という問題があった。
【０００４】
従って、本発明の課題の一つは、各電力消費者に対し、電化製品ごとの電力消費量の節約の基準を示すことを可能とする電力消費量提示システム、サーバ装置、及び電力消費量提示方法を提供することにある。
【課題を解決するための手段】
【０００５】
上記課題を解決するための本発明に係る電力消費量提示システムは、サーバ装置と、当該サーバ装置に所定の通信網を介して接続された複数の電力消費サイトと、を含む電力消費量提示システムであって、前記各電力消費サイトには、それぞれ１又は複数の電化製品が設置され、さらに前記各電化製品にそれぞれ対応して電力消費量測定装置が設置され、前記各電力消費量測定装置は、対応する電化製品の電力消費量を測定する電力消費量測定手段と、前記電力消費量測定手段により測定された電力消費量を、前記サーバ装置に対して送信する送信手段と、を含み、前記サーバ装置は、前記各電力消費量測定装置より送信された電力消費量に基づき、電化製品ごとに、各電力消費サイトの電力消費量を取得する取得手段と、前記取得手段により取得された電化製品ごとの各電力消費サイトの電力消費量を示す電力消費量情報を、当該電力消費量提示システムのユーザに対して提示する提示手段と、を含む、ことを特徴とする。
【０００６】
これによれば、各電力消費者に対し、電化製品ごとの電力消費量の節約の基準として、同じ電化製品を使用する他人の電力消費量を示すことが可能となる。この結果、電力消費量提示システムのユーザである電力消費者は、電化製品ごとに、自己の電力消費量と他人の電力消費量とを比較することができるようになる。
【０００７】
また、提示手段をサーバ装置に設けたことにより、電力消費量測定装置に提示手段を設ける必要がなくなり、電力消費量測定装置の製造コストが軽減される。
【０００８】
また、上記電力消費量提示システムにおいて、前記各電力消費量測定装置は、対応する電化製品を示す製品情報を取得する取得手段、をさらに含み、前記送信手段は、前記取得された製品情報を、前記電力消費量測定手段により測定された電力消費量とともに前記サーバ装置に対して送信し、前記取得手段は、前記各電力消費量測定装置より送信された製品情報に基づき、各電力消費サイトの電化製品ごとの電力消費量を取得する、こととしてもよい。
【０００９】
また、上記各電力消費量提示システムにおいて、前記電力消費量測定手段は、当該電力消費量測定装置に対応する電化製品と、該電化製品が接続されるコンセントと、の間に設けられ、前記送信手段は、前記電力消費量測定手段により測定された電力消費量を、当該電力消費量測定装置に対応する電化製品が接続されるコンセントを通じた電力線通信により、前記サーバ装置に対して送信する、こととしてもよい。
【００１０】
これによれば、送信手段は電力線通信を行うので、各電化製品に電力線以外の通信回線を接続する必要がなくなる。
【００１１】
さらに、上記各電力消費量提示システムにおいて、前記電力消費量測定手段及び前記送信手段は、一体の電力消費量測定装置を構成する、こととしてもよい。
【００１２】
これによれば、前記電力消費量測定手段と前記送信手段とが一体の装置となっているので、電力消費サイトにおける機器構成の簡素化を実現できる。
【００１３】
さらに、上記各電力消費量提示システムにおいて、前記サーバ装置はＩＰネットワークに接続され、前記提示手段は、前記ＩＰネットワーク上のサイトに前記電力消費量情報を表示することにより、該電力消費量情報を、当該電力消費量提示システムのユーザに対して提示する、こととしてもよい。
【００１４】
これによれば、電力消費量提示システムのユーザは、ＩＰネットワークに接続される端末から上記電力消費量情報（例えば、ランキング情報）を確認できるようになる。
【００１５】
また、この電力消費量提示システムにおいて、前記サーバ装置は、前記サイトにおいて、各電化製品に関する情報の入力を受け付ける情報入力受付手段、をさらに含み、前記提示手段は、前記入力を受け付けた情報を、前記電力消費量情報とともに、当該電力消費量提示システムのユーザに対して提示する、こととしてもよい。
【００１６】
これによれば、例えば各電化製品の電力消費量削減に関するアイデア情報や、各電化製品に比べて低消費電力が低い製品の広告情報など、各電化製品に関する情報を各電化製品についての電力消費量情報とともに提示できるので、より効果的に消費電力を低減することができる。
【００１７】
また、本発明に係るサーバ装置は、サーバ装置と、当該サーバ装置に所定の通信網を介して接続された複数の電力消費サイトと、を含む電力消費量提示システムにおいて使用されるサーバ装置であって、前記各電力消費サイトには、それぞれ１又は複数の電化製品が設置され、さらに前記各電化製品にそれぞれ対応して電力消費量測定装置が設置され、前記各電力消費量測定装置は、対応する電化製品の電力消費量を測定し、当該サーバ装置は、前記各電力消費量測定装置より測定された電力消費量に基づき、電化製品ごとに、各電力消費サイトの電力消費量を取得する取得手段と、前記取得手段により取得された電化製品ごとの各電力消費サイトの電力消費量を示す電力消費量情報を、前記電力消費量提示システムのユーザに対して提示する提示手段と、を含むことを特徴とする。
【００１８】
また、本発明に係る電力消費量提示方法は、複数の電力消費サイトにそれぞれ設置される１又は複数の電化製品を含む電力消費量提示システムにおいて、前記各電化製品の電力消費量測定を行うための電力消費量提示方法であって、前記各電化製品にそれぞれ対応して電力消費量測定装置が設置され、前記各電力消費量測定装置により、対応する電化製品の電力消費量を測定する電力消費量測定ステップと、前記各電力消費量測定装置より測定された電力消費量に基づき、電化製品ごとに、各電力消費サイトの電力消費量を取得する取得ステップと、前記取得ステップにおいて取得された電化製品ごとの各電力消費サイトの電力消費量を示す電力消費量情報を、前記電力消費量提示システムのユーザに対して提示する提示ステップと、を含むことを特徴とする。
【発明の効果】
【００１９】
本発明によれば、各電力消費者に対し、電化製品ごとの電力消費量の節約の基準として、同じ電化製品を使用する他人の電力消費量を示すことが可能となる。この結果、電力消費量提示システムのユーザである電力消費者は、電化製品ごとに、自己の電力消費量と他人の電力消費量とを比較することができるようになる。
【発明を実施するための最良の形態】
【００２０】
本発明の実施の形態について、図面を参照しながら説明する。
【００２１】
図１は、本実施の形態に係る電力消費量提示システム１のシステム構成を示す図である。同図に示すように、電力消費量提示システム１は、複数の電力消費サイト１０と、発電所２０と、送電ネットワーク２５と、サーバ装置３０と、インターネット４０と、を含んで構成される。
【００２２】
電力消費サイト１０は、家庭やオフィスなど、電力消費者が電力を消費するところである。すなわち、電力消費者は、電力消費サイト１０において１又は複数の電化製品を使用することにより、電力を消費する。本実施の形態では、各電化製品には、後述するように電力消費量測定装置が備え付けられている。
【００２３】
発電所２０は、発電するための設備を備えており、この設備を使用して発電を行う。送電ネットワーク２５は、変電所、送電ケーブルなどの送電用設備を含んでなり、発電所２０が発電した電力を、各電力消費サイト１０に送電する。各電力消費サイト１０で使用される電化製品は、主としてこのようにして送電された電力を利用して動作する。
【００２４】
サーバ装置３０は、各電力消費者に対し、電化製品ごとの電力消費量の節約の基準を示すための電力消費量提示処理を実施する。この処理の詳細については後述する。インターネット４０は、ＴＣＰ／ＩＰを利用する通信を行うための所定の通信網、より具体的にはＩＰネットワークであり、サーバ装置３０と各電力消費サイト１０を接続する。また、図示していない複数のコンピュータもインターネット４０に接続されている。サーバ装置３０、各電力消費サイト１０、及び図示していないコンピュータは、インターネット４０を介して互いに通信信号の送受信を行う。
【００２５】
以下、電力消費サイト１０の構成とサーバ装置３０の構成について詳細に説明する。
【００２６】
まず、電力消費サイト１０の構成について説明する。図２は、電力消費サイト１０の構成及び機能ブロックを示す図である。同図に示すように、電力消費サイト１０は、電化製品１１−ａ、電化製品１１−ｂ、電化製品１１−ｃを含んでいる。また、電力消費サイト１０は、各電化製品１１にそれぞれ対応する電力消費量測定装置１２及びコンセント１７を含んでいる。さらに、電力消費サイト１０は、分電盤１８及びＰＬＣモデム１９を含んで構成される。
【００２７】
分電盤１８は送電ネットワーク２５と接続されるとともに、各コンセント１７と電力線により接続される。そしてこの分電盤１８は、発電所２０から送電ネットワーク２５を介して供給される電力を、上記電力線を介して各コンセントに振り分ける。
【００２８】
各コンセント１７は、電化製品１１又は電力消費量測定装置１２と分電盤１８とを接続するためのインターフェイスである。電化製品１１又は電力消費量測定装置１２は電源コードを有している。電源コードは、その一方端に電源コネクタを有している。この電源コネクタをコンセント１７に差し込むことにより、電化製品１１又は電力消費量測定装置１２と分電盤１８とが電気的に接続される。
【００２９】
電力消費量測定装置１２は、電化製品１１とコンセント１７の間に設置される。すなわち、電力消費量測定装置１２は上述のように電源コードを備え、コンセント１７を介して分電盤１８と接続されるとともに、コンセントも備えている。電化製品１１の電源コードの一方端にある電源コネクタは、このコンセントに差し込まれる。これにより、電化製品１１と分電盤１８とは、電力消費量測定装置１２を介して電気的に接続される。
【００３０】
電化製品１１は、例えば冷蔵庫、エアコン、コンピュータなど、家庭やオフィス等で使用されるものである。電化製品１１は、電気的に接続される分電盤１８を介して、発電所２０から電力の供給を受ける。
【００３１】
電力消費量測定装置１２について、より詳細に説明する。電力消費量測定装置１２は電力量測定部１３、ＰＬＣ通信部１４、製品情報取得部１５を含んで構成される。このうち少なくとも電力量測定部１３とＰＬＣ通信部１４は、一体として電力消費量測定装置１２を構成する。
【００３２】
電力量測定部１３は、当該電力消費量測定装置１２に接続される電化製品１１の電力消費量を測定する。つまり、電力量測定部１３は、発電所２０から、当該電力消費量測定装置１２に対応する電化製品１１に対して供給される電力を測定し、電化製品１１の電力消費量として取得する。具体的な例では、電力量測定部１３は、当該電力消費量測定装置１２に対応する電化製品１１が消費した電力を所定期間にわたって積算し、その結果を、該所定期間についての電化製品１１の電力消費量として取得する。電力量測定部１３は、取得した電力消費量をＰＬＣ通信部１４に出力する。電力量測定部１３は、このようにして電力消費量を取得し、ＰＬＣ通信部１４に出力する処理を定期的に行う。
【００３３】
製品情報取得部１５は、記憶部１６を含んで構成される。この製品情報取得部１５は、当該電力消費量測定装置１２に接続される電化製品１１を示す製品情報を取得する。すなわち、製品情報取得部１５は、当該電力消費量測定装置１２に対応する電化製品１１を示す製品情報を取得する。より具体的には、製品情報は電化製品の種類（冷蔵庫、エアコンなどの別）、メーカー、型番を示す情報である。製品情報取得部１５は、電力消費者の入力を受け付けることによりこの製品情報を取得することが好適である。または、製品情報取得部１５は、電化製品１１から製品情報の出力を受けることとしてもよい。製品情報取得部１５は、取得した製品情報を記憶部１６に記憶させる。
【００３４】
ＰＬＣ通信部１４は電力線を利用して通信信号を送信する（所謂、電力線通信）。具体的には、ＰＬＣ通信部１４は電力消費量測定装置１２の電源コード、コンセント１７、及びコンセント１７と分電盤１８との間の電力線を利用して、後述するＰＬＣモデム１９に対し通信信号を送信する。ここでは、ＰＬＣ通信部１４は、電力量測定部１３から電力消費量が入力されると、記憶部１６に記憶される製品情報を読み出し、これらを通信信号として送信する。
【００３５】
ＰＬＣモデム１９は分電盤１８に接続する。ＰＬＣモデム１９は、ＰＬＣ通信部１４から電力線を利用して送信された通信信号を取得する。また、ＰＬＣモデム１９はインターネット４０に接続しており、サーバ装置３０に対し、インターネット４０を介して取得した通信信号を送信する。
【００３６】
次に、サーバ装置３０の構成について説明する。図３は、サーバ装置３０の機能ブロックを示す図である。同図に示すように、サーバ装置３０は、機能的に、通信部３１、電力消費量取得部３２、電力消費量記憶部３３、情報入力受付部３４、ランキング作成部３５、ランキング表示部３６を含んで構成される。
【００３７】
通信部３１はインターネット４０に接続され、インターネット４０と接続される他の装置との間で通信信号の送受信を行う。ここでは、通信部３１は各電力消費サイト１０に設置されるＰＬＣモデム１９や図示しない他のコンピュータとの間で通信信号を送受信する。ＰＬＣモデム１９から受信する通信信号は、各電力消費サイト１０に設置される電化製品１１を示す製品情報と、該電化製品１１の上記所定期間における電力消費量と、を示す信号である。また、通信部３１は受信した通信信号の受信元である電力消費サイト１０を示す電力消費サイト情報を取得する。この電力消費サイト情報は、具体的には電力消費サイト１０ごとに一意に割り当てられた英数字情報であることが好適である。より具体的には、通信部３１は、通信を開始する際にログインＩＤの入力を要求することとし、入力されたログインＩＤを電力消費サイト情報としてもよい。また、通信部３１は、通信相手であるＰＬＣモデム１９に割り当てられたＩＰアドレスを電力消費サイト情報として取得してもよい。
【００３８】
電力消費量取得部３２は、各電力消費量測定装置１２より送信された電力消費量に基づき、電化製品１１ごとに、各電力消費サイト１０の電力消費量を定期的に取得する。具体的には、電力消費量取得部３２は、まず通信部３１が取得した電力消費サイト情報を取得する。次に、電力消費量取得部３２は、各電化製品１１を示す製品情報を取得する。この各電化製品１１は、取得した電力消費サイト情報により示される電力消費サイト１０に設置されるものである。さらに、電力消費量取得部３２は、該各電化製品１１の電力消費量を取得する。
【００３９】
電力消費量取得部３２は、このようにして取得した電力消費量を電力消費量記憶部３３に記憶される電力消費量テーブルに書き込む。図４は、電力消費量テーブルの例を示す図である。同図に示すように、電力消費量テーブルは電力消費サイト情報ごと及び製品情報ごとに電力消費量を記憶している。
【００４０】
なお、電力消費量テーブルは所定期間ごとに設けられる。すなわち、電力量測定部１３は、電化製品１１が消費した電力を所定期間にわたって積算し、電力消費量取得部３２は、各電力消費サイト１０の電力消費量を所定期間ごとに取得する。そして取得した所定期間ごとの電力消費量を、該所定期間に対応して設けられる電力消費量テーブルに書き込む。例えば図４は一ヶ月分の電力消費量を記憶する電力消費量テーブルを示しており、電力消費量取得部３２は一ヶ月経過するごとに新たなテーブルを作成する。
【００４１】
ランキング作成部３５は、電力消費量取得部３２により取得された電化製品１１ごとの各電力消費サイト１０の電力消費量を示す電力消費量情報を作成する。ここでは、ランキング作成部３５は、各電力消費サイト１０の電力消費量を電化製品１１ごとにランキングしてなるランキング表を作成し、電力消費量情報とする。図５は、このランキング表の具体的な例である。同図に示すランキング表は、一例としての電化製品「冷蔵庫Ｆ」について、電力消費量のランキングを示している。このランキング表では、電力消費量が小さいほど順位が高くなるようにランキングされてもよいし、その逆順でもよい。ランキング作成部３５は、作成した電力消費量情報をランキング表示部３６に出力する。
【００４２】
情報入力受付部３４は、記憶部３７を含んで構成される。この情報入力受付部３４は、各電化製品１１に関する情報の入力を受け付ける。この情報の具体的な例としては、各電化製品１１の電力消費量削減に関するアイデア情報や、各電化製品１１に比べて消費電力が少ない製品の広告情報など、が挙げられる。当該電力消費量提示システム１のユーザは、各電化製品１１を示す製品情報とともに、インターネット４０に接続するコンピュータ（電化製品１１がコンピュータである場合は、この電化製品１１を使用してもよい。）からサーバ装置３０にこれらの情報を入力する。情報入力受付部３４は、入力された情報を、各電化製品１１を示す製品情報と対応付けて記憶部３７に記憶させる。
【００４３】
また、当該電力消費量提示システム１のユーザは、インターネット４０に接続するコンピュータからサーバ装置３０に対し、１又は複数の電化製品１１を指定して、電力消費量情報の提示を要求する。ランキング表示部３６は、通信部３１を介してこの要求を受け取る。するとランキング表示部３６は、この要求に応じて、ランキング作成部３５に指定された電化製品１１についての電力消費量情報を作成し、作成した電力消費量情報を該他のコンピュータの表示手段に表示することにより、ユーザに対し指定された電化製品１１についての電力消費量情報を提示する。また、ランキング表示部３６は、指定された電化製品１１に関して記憶部３７に記憶される情報を取得し、電力消費量情報とともに表示することにより、該情報をユーザに対して提示する。
【００４４】
より具体的には、ランキング表示部３６は、電化製品１１についてのランキング表及び情報を含むＨＴＭＬ情報を作成し、インターネット４０上に専用サイトに公開する。ユーザは、この公開されたＨＴＭＬ情報をコンピュータのブラウザで確認することにより、電力消費量情報及び電化製品に関する情報の提示を受ける。なお、情報入力受付部３４は、この専用サイト上において、ユーザによる各電化製品１１に関する情報の入力を受け付けることが好適である。
【００４５】
以上説明したように、本発明の実施形態に係る電力消費量提示システム１は、各電力消費者に対し、電化製品１１ごとの電力消費量の節約の基準として、同じ電化製品１１を使用する他人の電力消費量を示すことが可能となる。この結果、電力消費量提示システム１のユーザである電力消費者は、電化製品１１ごとに、自己の電力消費量と他人の電力消費量とを比較することができるようになる。
【００４６】
また、電力消費量提示システム１のユーザは、インターネットに接続される端末から上記電力消費量情報（例えば、上記ランキング表）を確認できるようになる。加えて、例えば各電化製品１１の電力消費量削減に関するアイデア情報や、各電化製品１１に比べて低消費電力が低い電化製品１１の広告情報など、各電化製品１１に関する情報を各電化製品１１についての電力消費量情報とともに提示できるので、より効果的に消費電力を低減することができる。
【００４７】
また、電力消費サイト１０内では電力線通信により測定した電力消費量等の送受信を行うので、各電化製品１１に電力線以外の通信回線を接続する必要がなくなる。
【００４８】
さらに、電力量測定部１３とＰＬＣ通信部１４とが一体の装置となっているので、電力消費サイト１０における機器構成の簡素化を実現できる。
【００４９】
なお、上記実施の形態では、電力消費量測定装置１２は、電化製品１１と商用電源であるコンセント１７の間に設置するものとして説明したが、例えば、コンセント１７を壁等に設ける際に、該コンセント１７と分電盤の間に設けるものであってもよい。これにより、１つの該コンセント１７に対し、１電化製品の電源コネクタを接続すればよく、コンセント部分に電力消費量測定装置１２が突出せず見栄えもよくすることができる。
【図面の簡単な説明】
【００５０】
【図１】本発明の実施の形態に係る電力消費量提示システムのシステム構成を示す図である。
【図２】本発明の実施の形態に係る電力消費量提示システムの電力消費サイト内におけるシステム構成及び機能ブロックを示す図である。
【図３】本発明の実施の形態に係る電力消費量提示システムにおいて使用されるサーバ装置の機能ブロックを示す図である。
【図４】本発明の実施の形態に係る電力消費量提示システムにおいて使用されるサーバ装置で記憶される電力消費量テーブルを示す図である。
【図５】本発明の実施の形態に係る電力消費量提示システムにおいてユーザに提示されるランキング表を示す図である。
【符号の説明】
【００５１】
１  電力消費量提示システム、１０  電力消費サイト、１１  電化製品、１２  電力消費量測定装置、１３  電力量測定部、１４  ＰＬＣ通信部、１５  製品情報取得部、１６  記憶部、１７  コンセント、１８  分電盤、１９  ＰＬＣモデム、２０  発電所、２５  送電ネットワーク、３０  サーバ装置、３１  通信部、３２  電力消費量取得部、３３  電力消費量記憶部、３４  情報入力受付部、３５  ランキング作成部、３６  ランキング表示部、３７  記憶部、４０  インターネット。
【図１】
2007139523.tif 000003
【図２】
2007139523.tif 000004
【図３】
2007139523.tif 000005
【図４】
2007139523.tif 000006
【図５】
2007139523.tif 000007